(57)【特許請求の範囲】
【請求項１】
堰堤の取水口の周囲を取り囲むように多段で配置したフレームに遮水膜をそれぞれ吊り下げて、上下の遮水膜をオーバーラップさせるとともに、昇降機で昇降可能な最上段のフレームの上からのオーバーフロー水を取水口から取水するようにした遮水膜昇降式選択取水設備において、
前記堰堤の前面に、最内側の遮水膜の両端部の内面に沿って上下方向に延在する遮水膜当たり板と、最外側の遮水膜の両端部の外面に沿って上下方向に延在する遮水膜押さえ板とが、各遮水膜の両端部をそれぞれ挟み込むように設けられていることを特徴とする遮水膜昇降式選択取水設備。
【請求項２】
前記各遮水膜の両端部には、前後方向の位置をずらせて外方に突出する引っ掛かり部がそれぞれ形成され、前記遮水膜押さえ板には、前記引っ掛かり部の前方への抜け止め部が形成されていることを特徴とする請求項１記載の遮水膜昇降式選択取水設備。
【発明の詳細な説明】
【技術分野】
【０００１】
本発明は、取水水深を任意に選択できる遮水膜昇降式選択取水設備に関する。
【背景技術】
【０００２】
従来、ダム湖等の堰堤の取水口を取り囲むように多段で配置したフレームに遮水膜をそれぞれ吊り下げて、上側の遮水膜を下側の遮水膜にオーバーラップさせることで取水口の周囲を遮水するとともに、昇降機で昇降可能な最上段のフレームの上からのオーバーフロー水を取水口から取水するようにした遮水膜昇降式選択取水設備がある（特許文献１参照）。
【０００３】
このような遮水膜昇降式選択取水設備であれば、最上段のフレームを表水層内に位置させれば、表水層のみをオーバーフローさせて取水口から取水することができ、最上段のフレームを水温躍層内に位置させると、水温躍層を取水口から取水することができ、最上段のフレームを深水層内に位置させると、深水層を取水口から取水することができる。
【特許文献１】特許第３５１８７４７号公報
【発明の開示】
【発明が解決しようとする課題】
【０００４】
前記のような遮水膜昇降式選択取水設備において、遮水膜の上下方向のオーバーラップ部分については、止水性（水漏れ）は特に問題にはならないが、堰堤の前面と遮水膜の両端部との間の止水性が問題となる。
【０００５】
すなわち、図１０に堰堤１の前面１ａと遮水膜３４の端部３４ａとの要部平面断面図を示すように、堰堤１の前面１ａに、遮水膜３４の端部３４ａの内面に沿って上下方向に延在する遮水膜当たり板６０を設けた場合、遮水膜内外の水位差に伴う外水圧があっても、図１０（ａ）のように、フレーム３１に近い遮水膜３４の上部は、フレーム３１から遮水膜当たり板６０の方向に突出させた遮水膜当たり部３１ａと相俟って、内方に撓みにくいため、遮水膜当たり板６０に対する端部３４ａの密着状態が維持されるので、止水性が良好である。
【０００６】
しかしながら、図１０（ｂ）のように、フレーム３１から遠い遮水膜３４の下部は、外水圧で内方に撓みやすいため、端部３４ａが遮水膜当たり板６０から離れて（矢印ａ参照）、遮水膜当たり板６０に対する端部３４ａの密着状態が維持されにくくなるので、止水性が悪化するという不具合がある。
【０００７】
本発明は、前記問題を解消するためになされたもので、遮水膜の全高に亘って両端部の止水性が良好となる遮水膜昇降式選択取水設備を提供することを目的とするものである。
【課題を解決するための手段】
【０００８】
前記課題を解決するために、本発明は、堰堤の取水口の周囲を取り囲むように多段で配置したフレームに遮水膜をそれぞれ吊り下げて、上下の遮水膜をオーバーラップさせるとともに、昇降機で昇降可能な最上段のフレームの上からのオーバーフロー水を取水口から取水するようにした遮水膜昇降式選択取水設備において、前記堰堤の前面に、最内側の遮水膜の両端部の内面に沿って上下方向に延在する遮水膜当たり板と、最外側の遮水膜の両端部の外面に沿って上下方向に延在する遮水膜押さえ板とが、各遮水膜の両端部をそれぞれ挟み込むように設けられていることを特徴とする遮水膜昇降式選択取水設備を提供するものである。
【０００９】
請求項２のように、前記各遮水膜の両端部には、前後方向の位置をずらせて外方に突出する引っ掛かり部がそれぞれ形成され、前記遮水膜押さえ板には、前記引っ掛かり部の前方への抜け止め部が形成されている構成とすることが好ましい。
【発明の効果】
【００１０】
本発明によれば、堰堤の前面に、遮水膜の両端部の内面に沿って上下方向に延在する遮水膜当たり板を設けることに加えて、遮水膜の両端部の外面に沿って上下方向に延在する遮水膜押さえ板を設けることで、遮水膜当たり板と遮水膜押さえ板との隙間で、遮水膜の両端部を挟み込むようになるから、遮水膜内外の水位差に伴う外水圧で遮水膜が内方に撓んだとしても、遮水膜当たり板との間で遮水膜を挟み込む遮水膜押さえ板によって、遮水膜の端部が遮水膜当たり板から離れにくくなって、遮水膜当たり板に対する端部の密着状態が維持されるので、遮水膜の全高に亘って両端部の止水性が良好となる。
【００１１】
請求項２によれば、遮水膜の両端部に、前後方向の位置をずらせて外方に突出する引っ掛かり部をそれぞれ形成することで、遮水膜押さえ板との間の隙間が少なくなるので、遮水膜の端部が遮水膜当たり板からより離れにくくなるとともに、遮水膜押さえ板に、引っ掛かり部の前方への抜け止め部を形成することで、遮水膜の両端部が遮水膜当たり板と遮水膜押さえ板との隙間から前方へ抜け出さなくなるので、遮水膜の端部が遮水膜当たり板からより離れにくくなる。
【発明を実施するための最良の形態】
【００１２】
以下、本発明を実施するための最良の形態について、図面を参照しながら詳細に説明する。
【００１３】
図１に示すように、ダムの堰堤（ダム壁）１の下部（ダム底付近）には発電用取水口２ａと利水用取水口２ｂとでなる取水口２が形成されるとともに、この取水口２の前面には、流木等のゴミが取水口２に入るのを阻止するバースクリーン（不図示）が取付けられている。
【００１４】
前記取水口２が位置する堰堤１の前面（上流側の面）１ａの前方には、水面Ｌに浮かぶ
フロート５が設置されている〔図２（ａ）参照〕。
【００１５】
このフロート５の上部には中央と両側に計３台の電動ウインチ（昇降機）１５が設置されている。この各電動ウインチ１５には、図４（ｂ）に示すように、モータ１５ａで駆動される減速機１５ｂにより、正逆回転可能なドラム１５ｃが設けられ、このドラム１５ｃにはワイヤロープ３３が巻回されている。前記電動ウインチ１５には、具体的に図示しないが堰堤１の上からキャブタイヤケーブルで電力が供給されている。
【００１６】
なお、フロート５に電動ウインチ（昇降機）１５を設置する代わりに、堰堤１の前面（上流側の面）１ａの上部に、水面Ｌよりも上方で前方に突出するフライングデッキ（操作台）を設置して、このフライングデッキに、電動ウインチ（昇降機）１５が設置することもできる。
【００１７】
前記堰堤１の前面１ａには、取水口２ａの両側位置で上下方向に延在する一対のＨ形ガイドレール４が取付けられている〔図３（ａ）（ｂ）参照〕。
【００１８】
前記フロート５のほぼ真下には、平面視で半円形状のフレーム３１Ｂ〜３１Ｇが多段で（図１では６段）設けられている。
【００１９】
前記各フレーム３１Ｂ〜３１Ｆは、図４（ａ）に示すように、金属（例えばステンレス）ボックス製の外殻７を有し、この外殻７の内部に浮力材（例えば発泡ウレタン）８が充填されている。
【００２０】
前記各フレーム３１Ｂ〜３１Ｆの浮力は、後述する遮水膜３４Ｂ〜３４Ｆを加えた比重が１近くに設定されて、自ら浮き上がるだけの浮力は無く、後述するチェーン２３Ｂ〜２３Ｆ等の重りで緩やかに沈む（下降する）浮力に設定されている。なお、各フレーム３１Ｂ〜３１Ｆは、外殻７の内部に浮力材８を充填したものではなく、例えばステンレス製パイプを半円形状に湾曲させたものであっても良い。また、最下部のフレーム３１Ｇは固定フレームであるから、浮力が無くても良い。
【００２１】
最下部のフレーム３１Ｇを除くフレーム３１Ｂ〜３１Ｆの外殻７の両端部は、図３（ａ）（ｂ）に示すように、前記各ガイドレール４にそれぞれ対向されて、この各両端部には、ヒンジブラケット９が固定され、このヒンジブラケット９にヒンジピン９ａを介してガイドローラブロック１０が上下揺動可能に取付けられ、このガイドローラブロック１０には、各フレーム３１Ｂ〜３１Ｆに作用する波による前方荷重をガイドレール４の前面で受け止めるための上下一対のメインローラ１１がローラピン１１ａで取付けられている。なお、ガイドローラブロック１０の内面には、ローラピン１１ａの貫通穴を補強するとともに、ガイドローラブロック１０の内面とメインローラ１１とのスキマ調整を兼ねる補強材（ダブリング）１１ｂが固定されている。
【００２２】
また、側方荷重をガイドレール４の側面で受け止めるとともに、後方荷重を受け止めるためのガイドシュー１１ｃが設けられている。
【００２３】
このメインローラ１１とガイドシュー１１ｃは、前記各荷重を受け止める機能の他、外殻７の両端部をガイドレール４に対して位置決めする機能と、外殻７の両端部がガイドレール４に沿ってスムーズに昇降するようにガイドする機能とを有している。
【００２４】
最下部のフレーム３１Ｇの外殻７の両端部は、前記ガイドレール４に固定されている。
【００２５】
前記各フレーム３１Ｂ〜３１Ｇの外周面には、図１に示したように、フレキシビリティを有する合成ゴム若しくは合成樹脂製、あるいは布製の遮水膜３４Ｂ〜３４Ｇがそれぞれ吊下げられている。
【００２６】
前記最上部のフレーム３１Ｂの上方には、図２（ｂ）にも示すように、フレーム３１Ａにゴム製遮水膜製の蓋４５が水平に張られて、縦横に取付けたチェーン４６で撓みを防止してなる整流板４３が配置されている。なお、フレーム３１Ａは、前記各フレーム３１Ｂ〜３１Ｆと同一構成である。
【００２７】
前記電動ウインチ１５のドラム１５ｃから垂れ下がらせたワイヤロープ３３は、整流板４３のフレーム３１Ａに連結する一方、この整流板４３のフレーム３１Ａと最上部のフレーム３１Ｂ、このフレーム３１Ｂと２段目のフレーム３１Ｃ、このフレーム３１Ｃと３段目のフレーム３１Ｄ、このフレーム３１Ｄと４段目のフレーム３１Ｅ、このフレーム３１Ｅと５段目のフレーム３１Ｆ、このフレーム３１Ｆと最下部のフレーム３１Ｇとを、それぞれ一定長さのチェーン２３Ａ〜２３Ｆで連結する。
【００２８】
なお、整流板４３のフレーム３１Ａと２段目のフレーム３１Ｂとの間のチェーン２３Ａは、他のチェーン２３Ｂ〜２３Ｆよりも短く（例えば１／３の長さ）に設定されていて、整流板４３のフレーム３１Ａと２段目のフレーム３１Ｂとの間に取水開口４４が形成されるようになる。
【００２９】
そして、電動ウインチ１５のドラム１５ｃによりワイヤロープ３３を巻き上げた時には、チェーン２３Ａ〜２３Ｆが引き延ばされて整流板４３のフレーム３１Ａと各フレーム３１Ｂ〜３１Ｆが所定の水深位置に引き上げられて保持されるとともに、ドラム１５ｃによりワイヤロープ３３が緩め下げられた時には、チェーン２３Ｂ〜２３Ｆが弛まされて、整流板４３のフレーム３１Ａを除く各フレーム３１Ｂ〜３１Ｆが最下部のフレーム３１Ｇの上に重なり合って保持されるようになる。
【００３０】
このワイヤロープ３３の巻き上げと緩め下げとは、整流板４３のフレーム３１Ａと各フレーム３１Ｂ〜３１Ｆの昇降状態に応じて制御する。
【００３１】
前記各遮水膜３４Ｂ〜３４Ｆは、各フレーム３１Ｂ〜３１Ｆが所定の水深位置に保持されているときは、フレーム３１Ｂ〜３１Ｆから吊下げられた状態で、上側となる遮水膜３４の下端が下側となる遮水膜３４の上端に外方からオーバーラップして、隙間を遮水するように吊下げ長さが設定されているとともに、各フレーム３１Ｂ〜３１Ｆが最下部のフレーム３１Ｇの上に重なり合って保持されているときは、厚み方向に重なり合うようになっている。なお、最下部のフレーム３１Ｇの遮水膜３４Ｇは、側部は堰堤１の前面１ａに固定して、下端は、ダム底の基礎コンクリート４７に固定して、それぞれ遮水するようになる。
【００３２】
また、後述するように、前記堰堤１には、遮水膜３４Ｂ〜３４Ｆの全高に亘って両端部を止水するための止水機構４８（Ａ）が設けられている。
【００３３】
さらに、整流板のフレーム３１Ａには、蓋４５と堰堤１との間の上部隙間を塞ぐ上部遮水カバー４９〔図２（ｂ）参照〕が設けられている。
【００３４】
前記各フレーム３１Ｃ〜３１Ｇの上部には、図４（ａ）に示したような凹部６ａが形成され、この凹部６ａの底に前記チェーン２３Ｂ〜２３Ｆの下部が連結されるとともに、各フレーム３１Ｂ〜３１Ｆの下部には、ショックアブゾーバー（若しくはダッシュポット）２６が取付けられ、このショックアブゾーバー２６に前記チェーン２３Ｂ〜２３Ｆの上部が連結されている。このショックアブゾーバー２６は、波に対するショックを吸収して遮水膜３４Ｂ〜２３Ｆが揺動するのを防止するためのものであり、必要に応じて取付ければよい。
【００３５】
また、前記凹部６ａは、各フレーム３１Ｂ〜３１Ｆが最下部のフレーム３１Ｇの上に重なり合って保持されるときに、各チェーン２３Ｂ〜２３Ｆ及びショックアブゾーバー２６を収納して、各フレーム３１Ｂ〜３１Ｆが隙間なく重なり合うようにするためのものである。なお、凹部６ａにチェーン２３Ｂ〜２３Ｆが収納されることで、弛んだチェーン２３Ｂ〜２３Ｆによって遮水膜３４Ｂ〜３４Ｇが損傷されるおそれもなくなる。
【００３６】
ここで、前記のように構成した遮水膜昇降選択取水設備の取水操作方法を説明する。
【００３７】
図１は、電動ウインチ１５によりワイヤロープ３３を巻き上げることにより、まず、整流板４３のフレーム３１Ａがワイヤロープ３３で引き上げられ、チェーン２３Ｂを介して２段目のフレーム３１Ｂが引き上げられ、チェーン２３Ｂを介して３段目のフレーム３１Ｃが引き上げられてというように、フレーム３１Ａ〜３１Ｆが全て引き上げられて、所定の水深位置に保持された状態である。
【００３８】
このとき、整流板４３のフレーム３１Ａと２段目のフレーム３１Ｂとの間に取水開口４４は、常時満水位Ｌの直ぐ下に位置している。
【００３９】
そして、各遮水膜３４Ｂ〜３４Ｇで各フレーム３１Ｂ〜３１Ｆおよび基礎コンクリート４７の間が遮水され、遮水膜３４Ｂ〜３４Ｆの両端部が後述する止水機構４８（Ａ）で遮水されることから、整流板４３のフレーム３１Ａと２段目のフレーム３１Ｂとの間に取水開口４４が表水層内に位置するので、表水層のみが取水開口４４から流入して、取水口２ａから取水できるようになる。
【００４０】
また、水位が常時満水位Ｌから最低水位Ｌ´まで下がったような場合には、電動ウインチ１５によりワイヤロープ３３を緩め下げることにより、各フレーム３１Ｂ〜３１Ｆが最下部のフレーム３１Ｇの上に重なり合って保持された状態となる。
【００４１】
したがって、各遮水膜３４Ｂ〜３４Ｆが最下降されるから〔図１（ｂ）参照〕、下降した整流板４３のフレーム３１Ａと２段目のフレーム３１Ｂとの間の取水開口４４が最低水位Ｌ´の直ぐ下の表水層内に位置するので、表水層のみが取水開口４４から流入して、取水口２ａから取水できるようになる。
【００４２】
さらに、常時満水位Ｌの状態で、水温躍層の濁水を取水したいような場合には、電動ウインチ１５によりワイヤロープ３３を緩め下げて、下降した整流板４３のフレーム３１Ａと２段目のフレーム３１Ｂとの間の取水開口４４が水温躍層内に位置するように調整すると、水温躍層の濁水のみが取水開口４４から流入して、取水口２ａから取水できるようになる。なお、深水層のみを取水したい場合も同様にして行うことができる。
【００４３】
次に、遮水膜３４Ｂ〜３４Ｆの全高に亘って両端部を止水するための止水機構４８（Ａ）を説明する。なお、前記図１の実施形態では、フレーム３１Ｂ〜３１Ｇと遮水膜３４Ｂ〜３４Ｇは６段構造であったが、簡略化のために、図３（ｂ）および図５以下では、フレーム３１Ｂ〜３１Ｄと遮水膜３４Ｂ〜３４Ｄの３段構造として説明する。
【００４４】
図５および図３（ｂ）は、第１実施形態の止水機構４８（Ａ）である。
【００４５】
堰堤１の前面１ａには、最内側の遮水膜３４Ｄの両端部３４ａの内面に沿って上下方向に延在する遮水膜当たり板６０をアンカーボルト等で固定して設けている。
【００４６】
また、この堰堤１の前面１ａには、最外側の遮水膜３４Ｂの両端部３４ａの外面に沿って上下方向に延在する遮水膜押さえ板６１をアンカーボルト等で固定して設けている。なお、遮水膜押さえ板６１は、必要に応じて取付けたり、取り外したりできるようになっている。
【００４７】
そして、遮水膜当たり板６０と遮水膜押さえ板６１との隙間で、各遮水膜３４Ｂ〜３４Ｄの両端部３４ａが左右方向からそれぞれ挟み込まれるようになる。
【００４８】
また、各遮水膜３４Ｂ〜３４Ｄの両端部３４ａには、前後方向の位置をずらせて外方に突出する引っ掛かり部３４ｂがそれぞれ形成され、遮水膜押さえ板６１には、引っ掛かり部３４ｂの前方への抜け止め部６１ａが形成されている。
【００４９】
第１実施形態の止水機構４８（Ａ）であれば、堰堤１の前面１ａに、遮水膜３４Ｂ〜３４Ｄの両端部３４ａの内面に沿って上下方向に延在する遮水膜当たり板６０を設けることに加えて、遮水膜３４Ｂ〜３４Ｄの両端部３４ａの外面に沿って上下方向に延在する遮水膜押さえ板６１を設けることで、遮水膜当たり板６０と遮水膜押さえ板６１との隙間で、遮水膜３４Ｂ〜３４Ｄの両端部３４ａを挟み込むようになるから、遮水膜３４Ｂ〜３４Ｄの内外の水位差に伴う外水圧で遮水膜３４Ｂ〜３４Ｄが内方に撓んだとしても、遮水膜当たり板６０との間で遮水膜３４Ｂ〜３４Ｄを挟み込む遮水膜押さえ板６１によって、遮水膜３４Ｂ〜３４Ｄの端部３４ａが遮水膜当たり板６０から離れにくくなって、遮水膜当たり板６０に対する端部３４ａの密着状態が維持されるので、遮水膜３４Ｂ〜３４Ｄの全高に亘って両端部３４ａの止水性が良好となる。
【００５０】
また、遮水膜３４Ｂ〜３４Ｄの両端部３４ａに、前後方向の位置をずらせて外方に突出する引っ掛かり部３４ｂをそれぞれ形成することで、遮水膜押さえ板６１との間の隙間が少なくなるので、遮水膜３４Ｂ〜３４Ｄの端部３４ａが遮水膜当たり板６１からより離れにくくなるとともに、遮水膜押さえ板６１に、引っ掛かり部３４ｂの前方への抜け止め部６１ａを形成することで、遮水膜３４Ｂ〜３４Ｄの両端部３４ａが遮水膜当たり板６０と遮水膜押さえ板６１との隙間から前方へ抜け出さなくなるので、遮水膜３４Ｂ〜３４Ｄの端部３４ａが遮水膜当たり板６０からより離れにくくなる。
【００５１】
図６、図７は、第１参考例の止水機構４８（Ｂ）である。遮水膜当たり板６０を設けることは、第１実施形態の止水機構４８（Ａ）と同様である。
【００５２】
そして、各遮水膜３４Ｂ〜３４Ｄの両端部３４ａには、図７（ａ）のように、前後方向の位置をずらせて外方に突出する中空突出部３４ｃがそれぞれ形成され、各中空突出部３４ｃには、案内用ロープ６２がそれぞれ挿通されている。この案内用ロープ６２は、遮水膜３４Ｂ〜３４Ｄの両端部３４ａを遮水膜当たり板６０に押し付けるようになる。
【００５３】
堰堤１の前面１ａの上下位置には、各案内用ロープ６２を上下方向に張った状態で、その上下端部を止着する取付け台６３Ａ，６３Ｂをアンカーボルト等で固定して設けている。
【００５４】
図７（ｂ）に詳細に示すように、取付け台６３Ｂ（６３Ａも同様）にはフックボルト６４が固定され、案内用ロープ６２の下端部にはシンブル６５がクリップ６６で固定されて、案内用ロープ６２のシンブル６５を取付け台６３Ｂのフックボルト６４にフックした状態で、フックボルト６４の出没量を調整することにより、案内用ロープ６２を上下方向に張ることができる。
【００５５】
図７（ｃ）のように、各遮水膜３４Ｂ〜３４Ｄの両端部３４ａを巻き丸めて接着部３４ｄで接着し、巻き丸めた中に間欠若しくは連続したパイプ６７を挿通固定することで、中空突出部３４ｃをそれぞれ形成することもできる。
【００５６】
また、図７（ｄ）（ｅ）のように、各遮水膜３４Ｂ〜３４Ｄの両端部３４ａにリング状金物６８をあてがい、あてがった側に押さえシート６９を接着して、リング状金物６８を挟み込んで固定することで、中空突出部３４ｃをそれぞれ形成することもできる。
【００５７】
第１参考例の止水機構４８（Ｂ）であれば、遮水膜当たり板６０を設けることに加えて、遮水膜３４Ｂ〜３４Ｄの両端部３４ａの中空突出部３４ｃを挿通する案内用ロープ６２を設けることで、案内用ロープ６２で遮水膜３４Ｂ〜３４Ｄの両端部３４ａを遮水膜当たり板６０に押し付けるようになるから、遮水膜３４Ｂ〜３４Ｄの内外の水位差に伴う外水圧で遮水膜３４Ｂ〜３４Ｄが内方に撓んだとしても、案内用ロープ６２によって、遮水膜３４Ｂ〜３４Ｄの端部３４ａが遮水膜当たり板６０から離れにくくなって、遮水膜当たり板６０に対する端部３４ａの密着状態が維持されるので、遮水膜３４Ｂ〜３４Ｄの全高に亘って両端部３４ａの止水性が良好となる。
【００５８】
図８、図９は、第２参考例の止水機構４８（Ｃ）である。第１参考例の止水機構４８（Ｂ）と相違するのは、各遮水膜３４Ｂ〜３４Ｄの両端部３４ａに補強シート７０を接着し、両端部３４ａと補強シート７０とに跨って円形リング（カナビラやシャックルでも可）７１を上下方向に多段で差し込むことで、中空突出部を形成したものである。
【００５９】
第２参考例の止水機構４８（Ｃ）であれば、遮水膜当たり板６０を設けることに加えて、遮水膜３４Ｂ〜３４Ｄの両端部３４ａの円形リング（中空突出部）７１を挿通する案内用ロープ６２を設けることで、案内用ロープ６２で遮水膜３４Ｂ〜３４Ｄの両端部３４ａを遮水膜当たり板６０に押し付けるようになるから、遮水膜３４Ｂ〜３４Ｄの内外の水位差に伴う外水圧で遮水膜３４Ｂ〜３４Ｄが内方に撓んだとしても、案内用ロープ６２によって、遮水膜３４Ｂ〜３４Ｄの端部３４ａが遮水膜当たり板６０から離れにくくなって、遮水膜当たり板６０に対する端部３４ａの密着状態が維持されるので、遮水膜３４Ｂ〜３４Ｄの全高に亘って両端部３４ａの止水性が良好となる。
【図面の簡単な説明】
【００６０】
【図１】本発明の実施形態にかかる選択取水設備であり、（ａ）は正面図、（ｂ）は側面断面図である。
【図２】（ａ）はフロートの平面図、（ｂ）は整流板の平面図、（ｃ）はフレームの平面図である。
【図３】（ａ）はフレームの端部の側面断面図、（ｂ）はフレームの端部の平面断面図である。
【図４】（ａ）はフレームの要部縦断面図、（ｂ）電動ウインチの平面図である。
【図５】本発明の実施形態にかかる止水機構を備えたる選択取水設備であり、（ａ）は上昇図の側面図、（ｂ）は下降時の側面図である。
【図６】第１参考例の選択取水設備であり、（ａ）は上昇図の側面図、（ｂ）は下降時の側面図である。
【図７】（ａ）は遮水膜当たり板の平面図、（ｂ）は案内用ロープの端部の側面図、（ｃ）は中空突出部の平面図、（ｄ）は別例の中空突出部の平面図、（ｅ）は（ｄ）の正面図である。
【図８】第２参考例の選択取水設備であり、（ａ）は上昇図の側面図、（ｂ）は下降時の側面図である。
【図９】（ａ）は遮水膜当たり板の平面図、（ｂ）は円形リングの斜視図である。
【図１０】（ａ）（ｂ）は、それぞれ遮水膜当たり板に対する遮水膜の端部の密着状態を示す平面断面図である。
【符号の説明】
【００６１】
１      堰堤
１ａ    前面
２      取水口
４      ガイドレール
１５    電動ウインチ（昇降機）
３１Ｂ〜３１Ｄ  フレーム
３３    ワイヤロープ
３４Ｂ〜３４Ｄ  遮水膜
３４ａ  端部
３４ｂ  引っ掛かり部
４８（Ａ）  止水機構
６０    遮水膜当たり板
６１    遮水膜押さえ板
６１ａ  抜け止め部
【図１】
0004950789.tif 000002
【図２】
0004950789.tif 000003
【図３】
0004950789.tif 000004
【図４】
0004950789.tif 000005
【図５】
0004950789.tif 000006
【図６】
0004950789.tif 000007
【図７】
0004950789.tif 000008
【図８】
0004950789.tif 000009
【図９】
0004950789.tif 000010
【図１０】
0004950789.tif 000011